(57)【要約】      （修正有）【課題】互いに噛み合う部材の雄型部分および雌型部分による外観の変化を抑制する。【解決手段】第１のシート３２および第２のシート３４を提供するステップと、第３のシート３６および細長い、解除可能に互いに噛み合う部材５０の対の第１の部材を第１のシート３２の表面に接合し、可撓性材料の第３のシート３６およびその対の互いに噛み合う部材５０の第２の部材を第２のシート３４の表面に接合して、解除可能に互いに噛み合う積層シートの対を形成するステップであって、解除可能に互いに噛み合う積層シート３１，３３の対においては、第３のシート３６は、互いに噛み合う部材５０の第１の部材と連続的になり、第４のシート３８は、互いに噛み合う部材５０の第２の部材と連続的になり、互いに噛み合う部材５０が互いに噛み合わせられたとき、第３のシート３６および第４のシート３８は、互いに面する、ステップとを含む装置。【選択図】図１
2011173419.tif 000002
【特許請求の範囲】
【請求項１】
再閉可能な包装体を、解除可能に互いに噛み合う積層シートを別の包装構成要素に加熱接合することによって形成するための、可撓性包装材料の前記解除可能に互いに噛み合う積層シートの対を製造する方法であって、
可撓性材料の第１のシートおよび第２のシートを提供するステップと、
可撓性材料の第３のシートおよび細長い、解除可能に互いに噛み合う部材の対の第１の部材を前記第１のシートの表面に接合し、可撓性材料の第４のシートおよび細長い、解除可能に互いに噛み合う部材の前記対の第２の部材を前記第２のシートの表面に接合して、解除可能に互いに噛み合う積層シートの対を形成するステップであって、解除可能に互いに噛み合う積層シートの前記対において、前記第３のシートは、互いに噛み合う部材の前記対の前記第１の部材と連続的になり、前記第４のシートは、互いに噛み合う部材の前記対の前記第２の部材と連続的になり、前記互いに噛み合う部材が互いに噛み合わせられたとき、前記第３のシートおよび第４のシートは互いに面する、ステップと
を含み、
前記第１のシート、第２のシート、第３のシート、および第４のシートを形成する前記材料は、所定の温度を施した状態で、前記第１のシートおよび第２のシートは、別の包装構成要素に加熱接合可能であり、前記第３のシートおよび第４のシートは、互いに加熱接合不能であるようなものであることを特徴とする方法。
【請求項２】
再閉可能な包装体を、解除可能に互いに噛み合う積層シートを別の包装構成要素に加熱接合することによって形成するための、可撓性包装材料の前記解除可能に互いに噛み合う積層シートの対を製造するための機器であって、前記可撓性包装材料は、可撓性材料の第１のシートおよび第２のシートと、可撓性材料の第３のシートおよび第４のシートとを含み、ストリップが、前記第３のシートおよび第４のシートから取り外されて前記第３のシートおよび第４のシート内に空隙を形成し、細長い、解除可能に互いに噛み合う部材の対の第１の部材および第２の部材を含む可撓性材料のストリップによって置き換えられ、細長い、解除可能に互いに噛み合う部材の前記対の第１の部材および第２の部材は、前記第３のシートおよび第４のシートと共に前記第１のシートおよび第２のシートの表面に接合されて可撓性包装材料の解除可能に互いに噛み合う積層シートの前記対を形成し、前記第１のシート、第２のシート、第３のシート、および第４のシートを形成する前記材料は、所定温度を施した状態で、前記第１のシートおよび第２のシートは、前記別の包装構成要素と加熱接合可能であり、前記第３のシートおよび第４のシートは、互いに加熱接合不能であるようなものであり、前記機器は、
前記第１のシートおよび第２のシートを連続的に提供するための可撓性材料の前記第１のシートおよび第２のシートのロール、ならびに前記第３のシートおよび第４のシートを連続的に提供するための可撓性材料の前記第３のシートおよび第４のシートのロールと、
前記第３のシートおよび第４のシートが連続的に提供されるときに前記第３のシートおよび第４のシートから前記ストリップを除去して前記第３のシートおよび第４のシート内に前記空隙を形成するためのデバイスと、
前記取り外されたストリップと連続的に置き換わるための前記置き換えストリップのロールと、
互いに噛み合う部材の前記対の前記第１の部材および第２の部材を連続的に提供するための互いに噛み合う部材の前記対の前記第１の部材および第２の部材のロールと、
互いに噛み合う部材の前記対の前記第１の部材および第２の部材を前記置き換えストリップに接合するためのデバイスと、
前記第３のシートおよび第４のシート、ならびに互いに噛み合う部材の前記対の前記接合された第１の部材および第２の部材を備えた前記置き換えストリップを前記第１のシートおよび第２のシートの表面に接合して可撓性包装材料の解除可能に互いに噛み合う積層シートの前記対を形成するためのデバイスと
を含むことを特徴とする機器。
【請求項３】
製品用の再閉可能な包装体であって、可撓性包装材料の解除可能に互いに噛み合う積層シートの対から形成された少なくとも１つの壁を含み、可撓性材料の解除可能に互いに噛み合う積層シートの前記対の少なくとも１つは、前記包装体の別の構成要素と加熱接合され、可撓性包装材料の解除可能に互いに噛み合う積層シートの前記対は、
可撓性材料の第１のシートおよび第２のシートと、
前記第１のシートの表面に接合された可撓性材料の第３のシートおよび細長い、解除可能に互いに噛み合う部材の対の第１の部材と、
前記第２のシートの表面に接合された可撓性材料の第４のシートおよび細長い、解除可能に互いに噛み合う部材の前記対の第２の部材と
を備え、
前記第３のシートは、細長い、解除可能に互いに噛み合う部材の前記対の前記第１の部材と連続的になり、前記第４のシートは、細長い、解除可能に互いに噛み合う部材の前記対の前記第２の部材と連続的になり、前記互いに噛み合う部材が互いに噛み合わせられたとき、前記第３のシートおよび第４のシートは互いに面し、
前記第１のシート、第２のシート、第３のシート、および第４のシートを形成する前記材料は、所定の温度を施した状態で、前記第１のシートおよび第２のシートは、別の包装構成要素に加熱接合可能であり、前記第３のシートおよび第４のシートは、互いに加熱接合不能であるようなものであることを特徴とする包装体。
【発明の詳細な説明】
【技術分野】
【０００１】
本発明は、積層状の包装材料、特に可撓性包装材料の解除可能に互いに噛み合う積層シート、および解除可能に互いに噛み合う積層状の包装材料の製造のための方法および機器に関する。本発明のこん包材料の解除可能に互いに噛み合う積層シートは、食品を含有するための包装体などの、再閉可能な包装体での使用に適する。しかし、本発明が、より広い用途を有することができることが理解されるものとする。
【背景技術】
【０００２】
たとえば、消費者が、包装体を開き、包装体内に含有された食料の一部分を取り出し、包装体に含有された食品の新鮮さを保つために包装体を再閉することができるように開閉および再閉が可能である包装体で食料品を販売できることが望ましい。
【０００３】
既存の再閉可能な包装体は、ジッパを包装体内にその開口部に隣接して、その長さにわたって延びるように組み込むなどによって再閉可能である開口部を含むプラスチックバッグを含むことができる。ジッパは、通常、ポリエチレンまたはポリプロピレンから形成され、雄型ジッパ部分および雌型ジッパ部分を含む。１つの形態では、バッグは、互いに対して向かい合って配置された可撓性包装材料のシートの対を含み、可撓性包装材料のシートの自由縁は、互いに加熱接合されて、封止された縁と、可撓性包装材料のシートの内面によって画定された包装体の内部にアクセスするための開口部を提供する少なくとも１つの封止されていない縁とを備えた包装体を形成する。ジッパの雄型部分および雌型部分は、食品または他の製品を中に配置することができる包装体の内部空間にアクセスするために再閉可能な開口部をもたらすために、加熱接合などによって可撓性包装材料のシートの内部表面に結合される。
【発明の概要】
【発明が解決しようとする課題】
【０００４】
上記で説明した包装体などの既存の再閉可能な包装体に関する問題は、ジッパの雄型部分および雌型部分が、包装体の内部表面および外部表面の両方を画定する可撓性包装材料の対向するシートに直接的に結合されることである。したがって、ジッパまたは少なくともジッパの雄型部分および雌型部分と包装材料の対向する可撓性シートとの間の結合部は、包装体の外側から目立ち、特に絵、模様または文字が、包装体の外側表面上に刷り込まれているとき、包装体の外側の外観に悪影響を及ぼす。
【０００５】
したがって、包装体を再閉するための手段が包装体の外側から目立たず、故に包装体の外側の外観に悪影響を及ぼさない再閉可能な包装体を提供できることが有利である。
【課題を解決するための手段】
【０００６】
したがって、第１の態様では、本発明は、再閉可能な包装体を、解除可能に互いに噛み合う積層シートを別の包装構成要素に加熱接合することによって形成するための、可撓性包装材料の解除可能に互いに噛み合う積層シートの対を製造する方法を提供し、この方法は、
可撓性材料の第１のシートおよび第２のシートを提供するステップと、
可撓性材料の第３のシートおよび細長い、解除可能に互いに噛み合う部材の対の第１の部材を第１のシートの表面に接合し、可撓性材料の第４のシートおよび細長い、解除可能に互いに噛み合う部材の対の第２の部材を第２のシートの表面に接合して解除可能に互いに噛み合う積層シートの対を形成するステップであって、解除可能に互いに噛み合う積層シートの対においては、第３のシートは、互いに噛み合う部材の対の第１の部材と連続的になり、第４のシートは、互いに噛み合う部材の対の第２の部材と連続的になり、互いに噛み合う部材が互いに噛み合わせられたとき、第３のシートおよび第４のシートは互いに面する、ステップとを含み、
第１のシート、第２のシート、第３のシート、および第４のシートを形成する材料は、所定の温度を施した状態で、第１のシートおよび第２のシートは、別の包装構成要素に加熱接合可能であり、第３のシートおよび第４のシートは、互いに加熱接合不能であるようなものである。
【０００７】
別の態様では、本発明は、再閉可能な包装体を、解除可能に互いに噛み合う積層シートを別の包装構成要素に加熱接合することによって形成するための、可撓性包装材料の解除可能に互いに噛み合う積層シートの対を製造するための機器を提供し、可撓性包装材料は、可撓性材料の第１のシートおよび第２のシートと、可撓性材料の第３のシートおよび第４のシートとを含み、ストリップが、第３のシートおよび第４のシートから取り外されて、第３のシートおよび第４のシート内に空隙を形成し、細長い、解除可能に互いに噛み合う部材の対の第１の部材および第２の部材を含む可撓性材料のストリップによって置き換えられ、細長い、解除可能に互いに噛み合う部材の対の第１の部材および第２の部材は、第３のシートおよび第４のシートと共に第１のシートおよび第２のシートの表面に接合されて可撓性包装材料の解除可能に互いに噛み合う積層シートの対を形成し、第１のシート、第２のシート、第３のシート、および第４のシートを形成する材料は、所定温度を施した状態で、第１のシートおよび第２のシートは、別の包装構成要素に加熱接合可能であり、第３のシートおよび第４のシートは、互いに加熱接合不能であるようなものであり、この機器は、
第１のシートおよび第２のシートを連続的に提供するための可撓性材料の第１のシートおよび第２のシートのロール、ならびに第３のシートおよび第４のシートを連続的に提供するための可撓性材料の第３のシートおよび第４のシートのロールと、
第３のシートおよび第４のシートが連続的に提供されるときに第３および第４のシートからストリップを取り外して第３のシートおよび第４のシート内に空隙を形成するためのデバイスと、
取り外されたストリップと連続的に置き換わるための置き換えストリップのロールと、
互いに噛み合う部材の対の第１の部材および第２の部材を連続的に提供するための互いに噛み合う部材の対の第１の部材および第２の部材のロールと、
互いに噛み合う部材の対の第１の部材および第２の部材を置き換えストリップに接合するためのデバイスと、
第３のシートおよび第４のシート、ならびに互いに噛み合う部材の対の接合された第１の部材および第２の部材を備えた置き換えストリップを第１のシートおよび第２のシートの表面に接合して可撓性包装材料の解除可能に互いに噛み合う積層シートの対を形成するためのデバイスとを含む。
【０００８】
本発明のさらに別の態様では、製品用の再閉可能な包装体が提供され、この包装体は、可撓性包装材料の解除可能に互いに噛み合う積層シートの対から形成された少なくとも１つの壁を含み、可撓性材料の解除可能に互いに噛み合う積層シートの対の少なくとも１つは、この包装体の別の構成要素と加熱接合され、可撓性包装材料の解除可能に互いに噛み合う積層シートの対は、
可撓性材料の第１のシートおよび第２のシートと、
第１のシートの表面に接合された可撓性材料の第３のシートおよび細長い、解除可能に互いに噛み合う部材の対の第１の部材と、
第２のシートの表面に接合された可撓性材料の第４のシートおよび細長い、解除可能に互いに噛み合う部材の対の第２の部材と
を備え、
第３のシートは、細長い、解除可能に互いに噛み合う部材の対の第１の部材と連続的になり、第４のシートは、細長い、解除可能に互いに噛み合う部材の対の第２の部材と連続的になり、互いに噛み合う部材が互いに噛み合わせられたとき、第３のシートおよび第４のシートは互いに面し、
第１のシート、第２のシート、第３のシート、および第４のシートを形成する材料は、所定の温度を施した状態で、第１のシートおよび第２のシートは、別の包装構成要素に加熱接合可能であり、第３のシートおよび第４のシートは、互いに加熱接合不能であるようなものである。
【図面の簡単な説明】
【０００９】
これ以降、本発明による、方法、機器、可撓性包装材料の解除可能に互いに噛み合う積層シートの対、および包装体の好ましい実施形態を概略的に示す添付の図を参照して、本発明を詳細に説明することが好都合である。しかし、本明細書の先行部分の一般論は、以下の説明の明細に取って代わられるものでないことを理解されたい。
【図１】本発明による、可撓性包装材料の解除可能に互いに噛み合う積層シートの構成要素の分解端面図である。
【図２】図１の可撓性包装材料の解除可能に互いに噛み合う積層シートの対を含む再閉可能な包装体の斜視図である。
【図３】図１の可撓性包装材料の解除可能に互いに噛み合う積層シートの対の層の分解斜視図である。
【図４】図１の可撓性包装材料の解除可能に互いに噛み合う積層シートの対ならびに可撓性包装材料の別の積層シートを含む本発明の別の実施形態の分解斜視図である。
【図５】図１の可撓性包装材料の解除可能に互いに噛み合う積層シートを含む再閉可能な包装体の断面の斜視図である。
【図６】図１の可撓性包装材料の解除可能に互いに噛み合う積層シートの対および図４の可撓性包装材料の別の積層シートを含む包装体の断面の斜視図である。
【図７】図１の可撓性包装材料の解除可能に互いに噛み合う積層シートの対の斜視図である。
【図８】図１の可撓性包装材料の解除可能に互いに噛み合う積層シートの対および図４の可撓性包装材料の別の積層シートの斜視図である。
【図９】図１の可撓性包装材料の解除可能に互いに噛み合う積層シートを製造している機器の概略図である。
【図１０】図１の可撓性包装材料の解除可能に互いに噛み合う積層シートを製造している図９の機器の斜視図である。
【発明を実施するための形態】
【００１０】
図１から８を参照すれば、可撓性包装材料３０の解除可能に互いに噛み合う積層シートの対３１、３３が示されている。図２、５および６は、本発明の可撓性包装材料３０の解除可能に互いに噛み合う積層シートの対を含む、形成された包装体６０を部分的および全面的に示している。図１から８を参照すれば、包装材料３０は、第１の積層シート３１および第２の積層シート３３を含む。第１の積層シート３１および第２の積層シート３３は、可撓性材料の第１のシート３２および可撓性材料の第２のシート３４から形成される。第１のシート３２は、第１の表面３２ａおよび第２の表面３２ｂを含み、第２のシート３４もまた、第１の表面３４ａおよび第２の表面３４ｂを含む。第１のシート３２および第２のシート３４は、それらのそれぞれの第１の表面３２ａ、３４ａが互いに面するように配置される。第１の積層シート３１、第２の積層シート３３はまた、第１のシート３２と第２のシート３４の間に挿入された、第３のシート３６および第４のシート３８も含む。第３のシート３６は、第１の表面３６ａおよび反対側の第２の表面３６ｂを含み、第４のシートもまた、第１の表面３８ａおよび反対側の第２の表面３８ｂを含む。第１のシート３２および第２のシート３４は、好ましくは、ポリエチレンから形成され、第３のシート３６および第４のシート３８は、好ましくは、ポリエチレンテレフタレートから形成される。
【００１１】
第３のシート３６および第４のシート３８は不連続のものであるが、それは、第３のシート３６および第４のシート３８の各々が、第３のシート内にそれぞれの空隙３６ｃおよび第４のシート３８内に空隙３８ｃを形成するためにそれらからストリップが取り外されているためである。第３のシート３６および第４のシート３８の空隙３６ｃおよび３８ｃ内には、可撓性材料のストリップ４０、４２が配置される。ストリップ４０、４２は、第３のシート３６および第４のシート３８内の空隙３６ｃ、３８ｃを完全に埋めるように第３のシート３６および第４のシート３８とそれぞれ連続的になる。
【００１２】
解除可能に互いに噛み合う部材５０の対もまた、第１のシート３２と第２のシート３４の間に挿入される。細長い、解除可能に互いに噛み合う部材５０の対は、雄型部分５２および雌型部分５４を含む。互いに噛み合う部材５０の対は、好ましくは、従来のタイプの細長いジッパの形態のものである。互いに噛み合う部材５０の雄型部分５２および雌型部分５４は、押出ポリエチレンまたはポリプロピレンから形成される。
【００１３】
こん包材料の構成要素３０は、次のように一緒に組み立てられる。互いに噛み合う部材５０の雄型部分５２は、接着剤および／または加熱接合などによる任意の適切な手段によってストリップ４０の１つに接合される。同様に、雌型部分５４もまた、接着剤および／または加熱接合などによる任意の適切な手段によってストリップ４２の他方の１つに接合される。これらのストリップ４０の１つおよび雄型部分５２は、その後、可撓性材料３６の第３のシートと共に、可撓性材料の第１のシート３２の第１の表面３２ａに接合される。雄型部分５２が取り付けられたストリップ４０および第３のシート３６は、接着剤および／または加熱接合などによる任意の適切な手段によって第１のシート３２に接合され得る。第３のシート３６は、第１のシート３２を形成する材料に一般的に加熱接合不能である材料から形成されるため、第３のシート３６は、第２の表面３６ｂまたは第１の表面３２ａまたはその両方に接着剤を塗布し、その後、第３のシート３６の３６ｂを第１のシート３２の第１の表面３２ａに接触させることによって、第１のシートの第１の表面３２ａに接合させることができる。雄型部分５２が接合されたストリップ４０は、加熱接合によっておよび／または接着剤によって第１のシートの第１の表面３２ａに接合させることができる。
【００１４】
互いに噛み合う部材５０の雌型部分５４もまた、接着剤および／または加熱接合などによる任意の適切な手段によってストリップ４２の別の１つに接合される。ストリップ４２および雌型部分５４は、その後、可撓性材料の第４のシート３８と共に、可撓性材料の第２のシート３４の第１の表面３４ａに接合される。雌型部分５４が取り付けられたストリップ４２および第４のシート３８は、接着剤および／または加熱接合などによる任意の適切な手段によって第２のシート３４に接合させることができる。第４のシート３８は、第２のシート３４を形成する材料に概ね加熱接合不能である材料から形成されるため、第４のシート３８は、第２の表面３８ｂまたは第１の表面３４ａまたはその両方に接着剤を塗布し、次いでその後、第４のシート３８の第２の表面３８ｂを第２のシート３４の第１の表面３４ａに接触させることによって、第２のシート３４の第１の表面３４ａに接合させることができる。雌型部分５４が接合されたストリップ４２は、加熱接合によっておよび／または接着剤によって第２のシート３４の第１の表面３４ａに接合させることができる。
【００１５】
あるいは、図３を参照すれば、最初に第１の積層シート３１および第２の積層シート３３をそれぞれ形成することによってこん包材料３０を組み立てることができる。したがって、そのように形成された第１の積層シート３１は、第３のシート３６およびストリップ４０で積層された第１のシート３２を備え、そのように形成された第２の積層シート３３は、第４のシート３８およびストリップ４２で積層された第２のシート３４を備える。次いで、互いに噛み合う部材５０が、雄型部分５２および雌型部分５４が互いに噛み合わされた状態で、第１の積層シート３１と第２の積層シート３３の間に置かれ、ストリップ４０、４２の位置に従って配置される。次いで、雄型部分５２および雌型部分５４をストリップ４０および４２にそれぞれ接合するために、加熱および／または圧力が施される。第３のシートおよび第４のシートは、加熱および／または圧力が施されている間、それらの一般的に加熱接合不能である特性のために互いに接合されない。
【００１６】
図７を参照すれば、可撓性こん包材料３０の解除可能に互いに噛み合う積層シートの対の第１の積層シート３１および第２の積層シート３３が示される。可撓性こん包材料３０の解除可能に互いに噛み合う積層シートの製造された対は、図２および５に示す包装体６０などの包装内に組み込まれることが可能である。包装体６０は、上記で説明された本発明の包装材料３０を、以下で説明するように接合する構成要素を含む。
【００１７】
包装体６０は、対向する第１の包装体シート６２および第２の包装体シート６４の対から形成される。第１の包装体シート６２および第２の包装体シート６４は、当業者によって理解されるような任意の適切な形態または形状を取ることができる。たとえば、第１の包装体シート６２および第２の包装体シート６４は、２枚の別個のシートでよく、またはこれらは、可撓性材料の折り畳まれた単一のシートから形成されてよい。図２および５に示す実施形態では、第１の包装体シート６２は、可撓性包装材料の概ね平面なシートであり、第２の包装体シート６４もまた、可撓性こん包材料の概ね平面なシートである。第１の包装体シート６２および第２の包装体シート６４は、好ましくは、ポリエチレンのシートおよび延伸ポリプロピレンのシートを積層することによって形成される。第１の包装体シート６２は、包装体６０が組み立てられた形態にあるとき、内面６２ａおよび外面６２ｂを含み、第２の包装体シート６４もまた、内面６４ａおよび外面６４ｂを含む。好ましくは内面６２ａ、６４ａは、ポリエチレン材料からなる。第１の包装体シート６２および第２の包装体シート６４は、内面６２ａ、６４ａが互いに面するように合わせられる。
【００１８】
第１の包装体シート６２および第２の包装体シート６４の自由側縁６５、６７および基底縁６９は、任意の適切な手段によって互いに接合または封止される。第１の包装体シート６２および第２の包装体シート６４の内面６２ａ、６４ａを形成する材料がポリエチレンのため、自由縁６５、６７および６９は、加熱接合され得る。したがって、側縁６５、６７および基底縁６９を加熱接合した後、結果として生じた第１の包装体シート６２および第２の包装体シート６４は、１つの縁に沿った開口部７０と、残りの縁６５、６７、６９の各々に沿った封止された縁とを含む。第１の包装体シート６２および第２の包装体シート６４の内面６２ａ、６４ａは、食品、贈答品などの製品をその中に受け入れることができる内部空間７２を画定する。
【００１９】
本発明の可撓性包装材料の解除可能に互いに噛み合う積層シートの対３０は、以下で説明するように図２および５に示す包装体内に組み込まれる。第１の積層シート３１および第２の積層シート３３は、第１の包装体シート６２および第２の包装体シート６４の内面６２ａ、６４ａの１つにそれぞれ接合される。接合は、開口部７０にある包装体シート６２、６４の自由縁周りで実質的に行われる。特に、第１の積層シート３１の第１のシート３２の第２の表面３２ｂは、第１の包装体シート６２の内面６２ａと接触させられる。第１の積層シート３１の第１のシート３２は、次いで、加熱および／または圧力を施すことによって第１の包装体シート６２の内面６２ａに加熱接合され、それにより、第１の積層シート３１は、第１の包装体シート６２の内面６２ａに沿って、包装体６０の開口部７０の全体にわたって延びる。第２の積層シート３３の第２のシート３４の第２の表面３４ｂは、第２の包装体シート６４の内面６４ａに接触させられる。第２の積層シート３３の第２のシート３４は、次いで、熱および／または圧力を施すことによって第２の包装体シート６４の内面６４ａに加熱接合され、それにより、第２の積層シート３３は、第２の包装体シート６４の内面６４ａに沿って、包装体６０の開口部７０の全体にわたって延びる。
【００２０】
理解されるように、第１の積層シート３１および第２の積層シート３３を第１の包装体シート６２および第２の包装体シート６４の内面６２ａ、６４ａに加熱接合するプロセスは、所定の加熱および／または圧力を施すことによって同時に実施することができるが、その理由は、第１のシート３２および第１の包装体シート６２を形成する材料が、加熱接合可能なものであり、第２のシート３４および第２の包装体シート６４を形成する材料もまた加熱接合可能なものであるが、第３のシート３６および第４のシート３８を形成する材料は、加熱接合プロセスが実施される所定の温度および／または圧力では加熱接合不能であるためである。したがって、結果として生じた包装体６０は、包装体の第１の包装体６２および第２の包装体６４の内面６２ａ、６４ａに、開口部７０の幅にわたって接合された包装材料３０の第１の積層シート３１および第２の積層シート３３を含む。したがって、包装材料３０の互いに噛み合う部材５０の雄型部分５２および雌型部分５４もまた、開口部７０の幅にわたって延びて、中の空間７２にアクセスするために包装体６０の開口部７０を開放および再閉することを容易にする。
【００２１】
再閉可能な開口部を提供するために互いに噛み合う部材の対を組み込む既存の包装体とは対照的に、本発明の包装材料３０および包装材料３０を組み込む包装体６０は、互いに噛み合う部材５０の雄型部分５２および雌型部分５４を包装体の外部の第１の包装体シート６２および第２の包装体シート６４に直接接合することを必要とせずに開口部７０を再閉するように動作可能である互いに噛み合う部材５０を提供する。したがって、第１の包装体シート６２および第２の包装体シート６４の外面６２ｂ、６４ｂは、再閉可能な開口部を組み込む既存の包装体の場合のように互いに噛み合う部材５０の雄型部分５２および雌型部分５４によって外観が変化することがない。したがって、本発明では、互いに噛み合う部材５０の雄型部分５２および雌型部分５４は、互いに噛み合う部材の雄型部分および雌型部分を組み込む再閉可能な開口部を組み込む既存の包装体の場合より、包装体６０の外側から目立ちにくい。したがって、第１の包装体シート６２および第２の包装体シート６４の外の表面６２ｂ、６４ｂに施されたあらゆるグラフィック、画像または文字は、互いに噛み合う部材の雄型部分および雌型部分を組み込む再閉可能な開口部を組み込む既存の包装体とは対照的に、互いに噛み合う部材５０の雄型部分５２および雌型部分５４を包装体６０に組み込むことによって悪影響が及ぼされることはない。
【００２２】
図４、６および８を参照すれば、可撓性包装材料３０の解除可能に互いに噛み合う積層シートの対ならびに可撓性包装材料の別のシート８０を含む本発明の別の実施形態が示されている。可撓性包装材料のシート８０は、第１の表面８２ａおよび反対側の第２の表面８２ｂを含む第５のシート８２と、第１の表面８４ａおよび第２の表面８４ｂを含む第６のシート８４とを含む積層シートである。積層状の材料のシート８０は、第６のシート８４の第２の表面８４ｂおよび第５のシート８２の第２の表面８２ｂを合わせ、接着剤および／または加熱接合などによる任意の適切な手段によって第２の表面８２ｂおよび８４ｂを接合することによって形成される。好ましくは、第５のシート８２を形成する材料はポリエチレンである一方で、第６のシート８４を形成する材料は、ポリエチレンテレフタレートである。別のシート８０は、第５のシート８２の第１の表面８２ａを、第１の積層シート３１および第２の積層シート３３のそれぞれ１つの第１のシート３２および第２のシート３４のいずれかの第２の表面３２ｂ、３４ｂの１つと合わせ、接着剤および／または加熱接合などによる任意の適切な手段によってそれに接合することによって可撓性包装材料３０の解除可能に互いに噛み合う積層シートの対に接合される。
【００２３】
図６および８に見ることができるように、シート８０は、折り畳み線に沿って折り畳まれ、その結果、図６に示すように、包装体６０に組み込まれたときにガセットを形成する。同様に、第１の積層シート３１および第２の積層シート３３もまた、互いに噛み合わされたときにガセットを形成する。第６のシート８４を形成する材料は、第５のシート８２を形成する材料が、第５のシート８２が加熱接合される第１のシート３２および第２のシート３４の１つを形成する材料に加熱接合可能である所定の温度および／または圧力において加熱接合不能である。したがって、第５のシート８２は、第１のシート３２および第２のシート３４の１つに加熱接合され、第１のシート３２および第２のシート３４の他方の１つは、第１の包装体シート６２および第２の包装体シート６４の１つの内面６２ａ、６４ａの１つに加熱接合され、第５のシート８２は、第１の包装体シート６２および第２の包装体シート６４の他方の１つの内面６２ａ、６４ａの他方の１つに加熱接合されるが、それと同時に折り畳まれた形状にあるときにそれ自体に面する第６のシート８４の第１の表面８４ａは、加熱接合を受けない加熱接合プロセスを行うことが可能である。
【００２４】
上記で説明した別のシート８０を含む可撓性包装材料３０の解除可能に互いに噛み合う積層シートの対の実施形態の利点は、図６に示すように包装体６０に組み込まれたとき、別のシート８０は、包装体６０がその上に立ち、直立位置で支持され得る基底を提供するために開放することができる、または画像、グラフィック、または文字をその上に施すことができる別の表面を提供することができる追加のガセットを提供することである。
【００２５】
図９を参照すれば、本発明の可撓性包装材料３０の解除可能に互いに噛み合う積層シートの対を製造するための機器１１０（したがって本質的には方法）が示されている。機器１１０は、可撓性材料の第１のシート３２のロール１２０を含む。上記で述べたように、可撓性材料３２の第１のシートは、好ましくは、ポリエチレンから形成される。しかし、任意の他の適切な材料を使用することもできる。
【００２６】
機器１１０はまた、２つの離間された平行な側縁３６ｄ、３６ｅを有する可撓性材料の第３のシート３６のロール１１５も含む。第３のシート３６が形成される材料は、ある所定の温度および／または圧力では、これが、同様の材料の別のシートとの加熱接合を形成しないが、その温度および／または圧力において第３のシート３６を形成する材料は、同様の材料の別のシートと加熱接合するようなものである。したがって、第３のシート３６は、好ましくは、ポリエチレンテレフタレートから形成される。しかし、任意の他の適切な材料を使用することもできる。
【００２７】
第１のシート３２および第３のシート３６は、それらのそれぞれのロール１２０、１１５からニップロール１５０とグラウンドロール（ｇｒｏｕｎｄ  ｒｏｌｌ）１５２の間に引き出されることによって連続的に提供される。ニップロール１５０およびグラウンドロール１５２に到達する前、ストリップ１０３が、第３のシート３６が連続的に提供されるときに第３のシート３６からストリップを取り外すためのデバイス１０５によって第３のシート３６から取り外される。デバイス１０５は、機器１１０の支持構造に固定された、離間された切断要素１０６、１０８の対を含む。固定され、側方に離間された切断要素１０６、１０８は、側縁３６ｄ、３６ｅの中間で第３のシート３６と係合し、それにより、第３のシート３６は、ロール１１５から引き出されたとき、切断要素１０６、１０８によって係合され、それに対して移動することにより、第３のシート３６のストリップ１０３がそこから切断される。ストリップ１０３を第３のシート３６から切断した結果、対向する縁１３６ａ、１３６ｂを含む空隙３６ｃが、第３のシート３６内の第３のシート３６の側縁３６ｄ、３６ｅの中間に残される。
【００２８】
ストリップ１０３を第３のシート３６から取り外すためのデバイス１０５は、ストリップ１０３が第３のシート３６から取り外された後、これを受け入れるロール１０４を含む。したがって、第１のシート３２および第３のシート３６が、それらのそれぞれのロール１２０、１１５から連続的に引き出され、第３のシート３６が、装置１０５およびその切断要素１０６、１０８に対して移動したとき、ストリップ１０３は、第３のシート３６から連続的に取り外され、ロール１０４によって受け入れられ、その結果、第３のシート３６内に空隙３６ｃを連続的に形成するようになる。
【００２９】
機器１１０はまた、可撓性材料の置き換えストリップ４０のロール１２５も含む。置き換えストリップ４０は、対向する離間された平行な側縁４０ａ、４０ｂならびに縁４０ａと４０ｂの間の２つの対向する第１の表面４０ｃおよび第２の表面４０ｄを有する。置き換えストリップ４０を形成する材料は、所定の温度および／または圧力を施した状態で、置き換えストリップ４０が、互いに噛み合う部材５０の雄型部分５２および雌型部分５４の対の１つおよび第１のシート３２に加熱接合されるようなものである。置き換えストリップ４０を、互いに噛み合う部材５０の雄型部分５２および雌型部分５４の１つに接合するプロセスは、図９および１０に示す実施形態のように、置き換えストリップ４０をそのロール１２５に装着する前に行うことができる。好ましくは、置き換えストリップ４０を形成する材料は、ポリエチレンである。
【００３０】
ストリップ１０３を第３のシート３６から取り外し、空隙３６ｃを第３のシート３６内に形成した後、第１のシート３２および第３のシート３６は、ニップロール１５０とグラウンドロール１５２の間に引き出される。それと同時に、置き換えストリップ４０は、置き換えストリップ４０のロール１２５から、第１のシート３２および第２のシート３６と共に、ニップロール１５０とグラウンドロール１５２の間に引き出される。置き換えストリップ４０は、第３のシート３６から取り外されたストリップ１０３とほぼ置き換わるように第３のシート３６内の空隙３６と位置合わせされる。したがって、置き換えストリップ４０の対向する離間された平行な側縁４０ａ、４０ｂは、置き換えストリップ４０が第３のシート３６と連続的になるように空隙３６ｃの縁と位置合わせされる。置き換えストリップ４０の位置合わせは、置き換えストリップの側縁４０ａ、４０ｂが、空隙３６ｃの縁１３６ａ、１３６ｂと位置合わせし、それと連続的になるように手動で操作可能である。機器１１０は、接着剤の供給装置１４０と、第１のシート３２がそのロール１２０から引き出されるときに第１のシート３２の第１の表面３２ａを接着剤でコーティングする接着剤アプリケータ１４１とをさらに含む。第１のシート３２の表面３２ａ上への接着剤のコーティングは、連続的または断続的でよい。表面３２ａが接着剤でコーティングされた後、第１のシート３２は、ニップロール１５０に到達し、この地点において、置き換えストリップの表面４０ｃの１つおよび空隙３６ｃを中に備えた第３のシート３６の第２の表面３６ｂは、接着剤でコーティングされた第１のシート３２の表面３２ａと接触させられる。第１のシート３２、雄型の互いに噛み合う部材５２が接合された置き換えストリップ４０、および第３のシート３６は、ニップロール５０とグラウンドロール５２の間に引き出され、それらの間で圧縮されて接着式に接合し、可撓性包装材料の解除可能に互いに噛み合う積層シートの対３０の第１の積層シート３１を形成する。
【００３１】
形成された第１の積層シート３１は、その後、ニップロール１５０とグラウンドロール１５２の間から出て行き、可撓性包装材料３０の解除可能に互いに噛み合う積層シートの対の仕上げられた第１の積層シート３１のロール１３２に移る。
【００３２】
可撓性包装材料の解除可能に互いに噛み合う積層シートの対３０の第２の積層シート３３を形成する機器および方法は、ロール１２０が、可撓性材料の第２のシート３４のロールであり、ロール１１５が、可撓性材料の第４のシート３８のロールであり、ロール１２５が、互いに噛み合う部材５０の雄型部分５２および雌型部分５４の他方の１つが接合された置き換えストリップ４２のものであることを除いて、上記で説明した機器１１０とほぼ同一のものである。さらに、ロール１３２に向かう仕上げられた製品は、第２の積層シート３３である。
【００３３】
本明細書で説明したように、第３のシート３６および第４のシート３８を形成する材料は、好ましくはポリエチレンテレフタレートであるが、これは、この材料が、第１のシート３２、第２のシート３４、置き換えストリップ４０、４２の材料を形成するポリエチレンが、同様の材料から形成された材料の他のシートに熱封止可能である温度において、熱封止不能であるためである。好ましくは、本明細書で説明した加熱接合プロセスが、約１２０℃と１３０℃の間の温度において、任意選択で所定圧力で行われる加熱接合手順。
【００３４】
本発明の趣旨および／または範囲を逸脱することなく、さまざまな変更、改変および／または追加を前に説明した部分の構造および配置に導入することができる。
【００３５】
本開示は、以下の実施形態を開示する。：
［実施形態１］再閉可能な包装体を、解除可能に互いに噛み合う積層シートを別の包装構成要素に加熱接合することによって形成するための、可撓性包装材料の解除可能に互いに噛み合う積層シートの対を製造する方法であって、
可撓性材料の第１のシートおよび第２のシートを提供するステップと、
可撓性材料の第３のシートおよび細長い、解除可能に互いに噛み合う部材の対の第１の部材を第１のシートの表面に接合し、可撓性材料の第４のシートおよび細長い、解除可能に互いに噛み合う部材の対の第２の部材を第２のシートの表面に接合して、解除可能に互いに噛み合う積層シートの対を形成するステップであって、解除可能に互いに噛み合う積層シートの対において、第３のシートは、互いに噛み合う部材の対の第１の部材と連続的になり、第４のシートは、互いに噛み合う部材の対の第２の部材と連続的になり、互いに噛み合う部材が互いに噛み合わせられたとき、第３のシートおよび第４のシートは互いに面する、ステップとを含み、
第１のシート、第２のシート、第３のシート、および第４のシートを形成する材料は、所定の温度を施した状態で、第１のシートおよび第２のシートは、別の包装構成要素に加熱接合可能であり、第３のシートおよび第４のシートは、互いに加熱接合不能であるようなものである方法。
【００３６】
［実施形態２］可撓性材料の第１のストリップおよび第２のストリップを提供するステップをさらに含み、細長い、解除可能に互いに噛み合う部材の対の第１の部材は、第１のストリップに接合され、細長い、解除可能に互いに噛み合う部材の対の第２の部材は、第２のストリップに接合され、互いに噛み合う部材を第１のシートおよび第２のシートに接合するステップは、第１のストリップを第１のシートの表面に接合するステップと、第２のストリップを第２のシートの表面に接合するステップとを含み、第３のシートは、第１のストリップと連続的になり、第４のシートは、第２のストリップと連続的になる実施形態１の方法。
【００３７】
［実施形態３］互いに噛み合う部材は、第１のストリップおよび第２のストリップに加熱接合され、第１のストリップおよび第２のストリップは、第１のシートおよび第２のシートに加熱接合される実施形態２の方法。
【００３８】
［実施形態４］可撓性材料の第５のシートおよび第６のシートを提供するステップと、第６のシートを第５のシートの表面に接合して可撓性包装材料の別の積層シートを形成するステップと、第５のシートを第１のシートおよび第２のシートの１つの別の表面に接合するステップとをさらに含み、第５のシートおよび第６のシートを形成する材料は、所定の温度を施した状態で、第５のシートならびに第１のシートおよび第２のシートの１つが、互いに加熱接合可能であり、第６のシートが、第６のシート自体に加熱接合不能であるようなものである実施形態１から３のいずれか１つの方法。
【００３９】
［実施形態５］第５のシートの可撓性材料は、ポリエチレンを含み、第６のシートの可撓性材料は、ポリエチレンテレフタレートを含む実施形態４の方法。
【００４０】
［実施形態６］第３のシートは、第１のシートに接着剤によって接合され、第４のシートは、第２のシートに接着剤によって接合される実施形態１から５のいずれか１つの方法。
【００４１】
［実施形態７］第１のシートおよび第２のシートの可撓性材料は、ポリエチレンを含む実施形態１から６のいずれか１つの方法。
【００４２】
［実施形態８］第３のシートおよび第４のシートの可撓性材料は、ポリエチレンテレフタレートを含む実施形態１から７のいずれか１つの方法。
【００４３】
［実施形態９］実施形態１から８のいずれか１つの方法から形成された可撓性包装材料の解除可能に互いに噛み合う積層シートの対。
【００４４】
［実施形態１０］製品用の再閉可能な包装体であって、実施形態９の可撓性包装材料の解除可能に互いに噛み合う積層シートの対から形成された少なくとも１つの壁を含み、可撓性材料の第１のシートおよび第２のシートの少なくとも１つは、包装体の別の構成要素と加熱接合される包装体。
【００４５】
［実施形態１１］製品用の再閉可能な包装体であって、実施形態４または５の方法から形成された可撓性包装材料の解除可能に互いに噛み合う積層シートの対から形成された少なくとも１つの壁を含み、第５のシートは、包装体の別の構成要素と加熱接合される包装体。
【００４６】
［実施形態１２］包装体の別の構成要素は、可撓性包装材料の別の積層シートである実施形態１０または１１の包装体。
【００４７】
［実施形態１３］可撓性包装材料の別の積層シートは、ポリエチレンおよび延伸ポリプロピレンの積層シートを含む実施形態１２の包装体。
【００４８】
［実施形態１４］包装体の別の構成要素は、互いに接合された可撓性包装材料の積層シートの自由縁を含む、実施形態１１から１３のいずれか１つの包装体。
【００４９】
［実施形態１５］包装体の別の構成要素の積層シートの自由縁は、互いに加熱接合される実施形態１４の包装体。
【００５０】
［実施形態１６］再閉可能な包装体を、解除可能に互いに噛み合う積層シートを別の包装構成要素に加熱接合することによって形成するための、可撓性包装材料の解除可能に互いに噛み合う積層シートの対を製造するための機器であって、可撓性包装材料は、可撓性材料の第１のシートおよび第２のシートと、可撓性材料の第３のシートおよび第４のシートとを含み、ストリップが、第３のシートおよび第４のシートから取り外されて第３のシートおよび第４のシート内に空隙を形成し、細長い、解除可能に互いに噛み合う部材の対の第１の部材および第２の部材を含む可撓性材料のストリップによって置き換えられ、細長い、解除可能に互いに噛み合う部材の対の第１の部材および第２の部材は、第３のシートおよび第４のシートと共に第１のシートおよび第２のシートの表面に接合されて可撓性包装材料の解除可能に互いに噛み合う積層シートの対を形成し、第１のシート、第２のシート、第３のシート、および第４のシートを形成する材料は、所定温度を施した状態で、第１のシートおよび第２のシートは、別の包装構成要素に加熱接合可能であり、第３のシートおよび第４のシートは、互いに加熱接合不能であるようなものであり、機器は、
第１のシートおよび第２のシートを連続的に提供するための可撓性材料の第１のシートおよび第２のシートのロール、ならびに第３のシートおよび第４のシートを連続的に提供するための可撓性材料の第３のシートおよび第４のシートのロールと、
第３のシートおよび第４のシートが連続的に提供されるときに第３のシートおよび第４のシートからストリップを除去して第３のシートおよび第４のシート内に空隙を形成するためのデバイスと、
取り外されたストリップと連続的に置き換わるための置き換えストリップのロールと、
互いに噛み合う部材の対の第１の部材および第２の部材を連続的に提供するための互いに噛み合う部材の対の第１の部材および第２の部材のロールと、
互いに噛み合う部材の対の第１の部材および第２の部材を置き換えストリップに接合するためのデバイスと、
第３のシートおよび第４のシート、ならびに互いに噛み合う部材の対の接合された第１の部材および第２の部材を備えた置き換えストリップを第１のシートおよび第２のシートの表面に接合して可撓性包装材料の解除可能に互いに噛み合う積層シートの対を形成するためのデバイスとを含む機器。
【００５１】
［実施形態１７］互いに噛み合う部材の対の第１の部材および第２の部材を置き換えストリップに接合するためのデバイスは、互いに噛み合う部材の対の第１の部材および第２の部材を置き換えストリップのそれぞれの１つに加熱接合するための加熱接合デバイスを含む実施形態１６の機器。
【００５２】
［実施形態１８］第２のシートおよび置き換えストリップを第１のシートの表面に接合することを可能にするためのデバイスは、第２のシートおよび置き換えストリップを第１のシートの表面に接着式に接合するための接着剤の供給装置を含む実施形態１６または１７の機器。
【００５３】
［実施形態１９］置き換えストリップのロールは、置き換えストリップを第３のシートおよび第４のシート内の空隙と位置合わせすることを容易にするように移動可能である実施形態１６から１８のいずれか１つの機器。
【００５４】
［実施形態２０］可撓性包装材料の積層シートを受け入れるためのロールをさらに含む実施形態１６から１９のいずれか１つの機器。
【００５５】
［実施形態２１］ストリップを第３のシートおよび第４のシートから取り外すためのデバイスは、第３のシートおよび第４のシートから取り外すためにストリップを切断するための少なくとも２つの離間された切断要素を含む実施形態１６から２０のいずれか１つの機器。
【００５６】
［実施形態２２］可撓性材料の第５のシートおよび第６のシートを連続的に提供するための可撓性材料の第５のシートおよび第６のシートのロールと、
可撓性材料の第６のシートを第５のシートの表面に接合して可撓性包装材料の別の積層シートを形成するためのデバイスと、
第５のシートを第１のシートおよび第２のシートの１つの別の表面に接合するためのデバイスであって、第５のシートおよび第６のシートを形成する材料は、所定温度を施した状態で、第５のシートならびに第１のシートおよび第２のシートの１つは、互いに加熱接合可能であり、第６のシートは、それ自体に加熱接合不能であるようなものである、デバイスと
をさらに含む実施形態１６から２１のいずれか１つの機器。
【００５７】
［実施形態２３］第５のシートを第１のシートおよび第２のシートの１つの別の表面に接合するためのデバイスは、第５のシートを第１のシートおよび第２のシートの１つの別の表面に加熱接合するための加熱接合デバイスを含む実施形態２２の機器。
【００５８】
［実施形態２４］製品用の再閉可能な包装体であって、可撓性包装材料の解除可能に互いに噛み合う積層シートの対から形成された少なくとも１つの壁を含み、可撓性材料の解除可能に互いに噛み合う積層シートの対の少なくとも１つは、包装体の別の構成要素に加熱接合され、可撓性包装材料の解除可能に互いに噛み合う積層シートの対は、
可撓性材料の第１のシートおよび第２のシートと、
第１のシートの表面に接合された可撓性材料の第３のシートおよび細長い、解除可能に互いに噛み合う部材の対の第１の部材と、
第２のシートの表面に接合された可撓性材料の第４のシートおよび細長い、解除可能に互いに噛み合う部材の対の第２の部材と
を備え、
第３のシートは、細長い、解除可能に互いに噛み合う部材の対の第１の部材と連続的になり、第４のシートは、細長い、解除可能に互いに噛み合う部材の対の第２の部材と連続的になり、互いに噛み合う部材が互いに噛み合わせられたとき、第３のシートおよび第４のシートは互いに面し、
第１のシート、第２のシート、第３のシート、および第４のシートを形成する材料は、所定の温度を施した状態で、第１のシートおよび第２のシートは、別の包装構成要素に加熱接合可能であり、第３のシートおよび第４のシートは、互いに加熱接合不能であるようなものである包装体。
【００５９】
［実施形態２５］可撓性材料の第１のストリップおよび第２のストリップをさらに備え、細長い、解除可能に互いに噛み合う部材の対の第１の部材は、第１のストリップに接合され、細長い、解除可能に互いに噛み合う部材の対の第２の部材は、第２のストリップに接合され、第１のストリップは、第１のシートの表面に接合され、第２のストリップは、第２のシートの表面に接合され、第３のシートは、第１のストリップと連続的になり、第４のシートは、第２のストリップと連続的になる実施形態２４の包装体。
【００６０】
［実施形態２６］互いに噛み合う部材は、第１のストリップおよび第２のストリップに加熱接合され、第１のストリップおよび第２のストリップは、第１のシートおよび第２のシートに加熱接合される実施形態２５の包装体。
【００６１】
［実施形態２７］可撓性材料の第５のシートおよび第６のシートをさらに備え、第６のシートは、第５のシートの表面に接合されて可撓性包装材料の別の積層シートを形成し、第５のシートは、第１のシートおよび第２のシートの１つの別の表面に接合され、第５のシートおよび第６のシートを形成する材料は、所定の温度を施した状態で、第５のシートならびに第１のシートおよび第２のシートの１つは、互いに加熱接合可能であり、第６のシートは、第６のシート自体に加熱接合不能であるようなものである実施形態２４から２６のいずれか１つの包装体。
【００６２】
［実施形態２８］第５のシートの可撓性材料は、ポリエチレンを含み、第６のシートの可撓性材料は、ポリエチレンテレフタレートを含む実施形態２７の包装体。
【００６３】
［実施形態２９］第３のシートは、第１のシートに接着剤によって接合され、第４のシートは、第２のシートに接着剤によって接合される実施形態２４から２８のいずれか１つの包装体。
【００６４】
［実施形態３０］第１のシートおよび第２のシートの可撓性材料は、ポリエチレンを含む実施形態２４から２９のいずれか１つの包装体。
【００６５】
［実施形態３１］第３のシートおよび第４のシートの可撓性材料は、ポリエチレンテレフタレートを含む実施形態２４から３０のいずれか１つの包装体。
【図１】
2011173419.tif 000003
【図２】
2011173419.tif 000004
【図３】
2011173419.tif 000005
【図４】
2011173419.tif 000006
【図５】
2011173419.tif 000007
【図６】
2011173419.tif 000008
【図７】
2011173419.tif 000009
【図８】
2011173419.tif 000010
【図９】
2011173419.tif 000011
【図１０】
2011173419.tif 000012
【外国語明細書】
2011173419000001.pdf